(57)【要約】【課題】ケーブルドラムの傍らに人を配置することなく、ケーブルドラムの制動をケーブルの牽引に応じて制御することができる、取り付けが容易で、部品点数が少なく、低コストで、軽量で持ち運びが容易なケーブル繰り出し装置を提供する。【解決手段】ケーブルドラム支持部と、ケーブルドラムの外周縁近傍に位置するようにケーブルドラム支持部に設けられた支軸を支点として回動する制動手段とを具え、制動手段は、ケーブルドラムの外周縁に当接して制動をかけるブレーキ部分と、ケーブルドラムから繰り出されたケーブルの弛みを検出するためにケーブルと接触するケーブル掛合部分とを有し、ケーブルが弛んでいる場合には付勢手段によりブレーキ部分がケーブルドラムに当接し、ケーブルが繰り出されている場合にはケーブルが牽引される力により制動手段を回動させてブレーキ部分をケーブルドラムから離す、ケーブル繰り出し装置である。【選択図】図１
0003138356.tif 000002
【実用新案登録請求の範囲】
【請求項１】
ケーブルが巻かれたケーブルドラムからケーブルを繰り出すための装置であって、
互いに離間して立設される一組の脚部と、前記脚部に支持されて前記ケーブルドラムを着脱自在および回転自在に支持するケーブルドラム支持軸とを有するケーブルドラム支持部と、
前記ケーブルドラムの外周縁近傍に位置するように前記ケーブルドラム支持部に設けられた支軸を支点として回動する制動手段と、
を具え、
前記制動手段が、
前記支軸から前記ケーブルドラムを挟んで前記支軸と反対の側まで延在するレバー部分と、
前記レバー部分の、前記ケーブルドラム支持軸より前記支軸側の位置に設けられて、前記ケーブルドラムの外周縁に当接してそのケーブルドラムに制動をかけるブレーキ部分と、
前記レバー部分の、前記ケーブルドラムを挟んで前記支軸と反対の側に設けられて、前記ケーブルが繰り出しのために牽引されている場合に前記ケーブルドラムから繰り出されたケーブルと掛合して前記ブレーキ部分を前記ケーブルドラムから離すように前記レバー部分を回動させるケーブル掛合部分と、
前記ケーブルが弛んでいる場合に前記ブレーキ部分を前記ケーブルドラムの外周縁に当接させるように前記レバー部分を付勢して回動させる付勢手段と、
を有することを特徴とする、ケーブル繰り出し装置。
【請求項２】
前記ブレーキ部分に、前記ケーブルドラムとの当接面の摩擦力を高めるためのゴムが設けられており、
前記制動手段の制動力を制御するために、前記制動手段に、前記レバー部分を回動付勢する錘、または前記制動手段と前記ケーブルドラム支持部とを弾性的に連結する弾性体が設けられたことを特徴とする、請求項１に記載のケーブル繰り出し装置。
【考案の詳細な説明】
【技術分野】
【０００１】
本考案は、構造が簡潔で、取り付けが容易な制動手段を具えた、ケーブル繰り出し装置に関するものである。
【背景技術】
【０００２】
従来、ケーブル敷設現場での延線作業時にケーブルドラムの傍らに作業者を配置することなくケーブルドラムからケーブルを引き出し、あるいは延線停止時にケーブルドラムの回転を停止させるための装置として、ケーブルの弛みや過度の引き出しの発生を防止する制動手段を具えたケーブル繰り出し装置が知られている。
【０００３】
この従来のケーブル繰り出し装置は、具体的には、ケーブルドラムを回転自在に支持する、脚部に軸支された回転軸と、ドラムブレーキまたはバンドブレーキよりなり、回転軸を制動するために軸支部またはその近傍に設けられたブレーキ機構とを具えており、そのブレーキ機構による制動を、ケーブル案内部に通されたケーブルへの張力の有無に応じて位置が変化するように構成されて脚部に軸支されたアーム部を用いて制御するよう構成されている。この装置によれば、ケーブルをケーブル案内部に通して延線作業を行うことで、ケーブルに張力がかかった状態ではアームが上方に持ち上がり、ケーブルに張力がかかっていない状態ではアームが下方に下がるので、アームの上下動に応じてブレーキシューとブレーキドラムとが圧接して回転軸の回転を停止させ、または離れて回転軸の回転を可能にすることで、ケーブルドラムの回転停止を自動的に行い、延線作業における省力化を実現できる（例えば、特許文献１参照）。
【０００４】
また、ケーブルにかかる張力に応じ、回転軸ではなく、ケーブルドラムの外周縁に制動手段を当接させて自動的に制動を行うケーブル繰り出し装置も従来から知られており、この装置は、ケーブルの張力検出手段と、検出された張力に基づき動作する、空気圧式の制御回路よりなる制御手段とを用いて、制動手段をケーブルドラムに当接させ、またはケーブルドラムから制動手段を離すことでドラムの回転を制御している（例えば、特許文献２参照）。更に、従来、ケーブルドラムの外周縁に接触して回転するローラと、ケーブルの弛み具合に応じて所定の回転角の範囲で回転する弛み検出部材と、弛み検出部材の回転動作に応じてローラと一体に回転するように設けられたブレーキディスクにブレーキレバーを当接させる抵抗手段とを具え、ケーブルドラムに回転抵抗を付与したり、解除したりすることによりケーブルドラムの回転を制御する装置も知られている（例えば、特許文献３参照）。
【特許文献１】特開平５−１４６０１５号公報
【特許文献２】特開平６−２２７７４４号公報
【特許文献３】特開２００１−１３５１６６号公報
【考案の開示】
【考案が解決しようとする課題】
【０００５】
しかし、ドラムブレーキやバンドブレーキといった、車両等にも用いられるようなブレーキ機構を用いたケーブル繰り出し装置では、ブレーキ機構の構造が複雑になり、部品点数が増え、コストが増大すると共に、装置重量が増大するため持ち運びに不便であった。
【０００６】
また、空気圧式の制御手段を用いて制動手段をケーブルドラムに当接させて制動を行うケーブル繰り出し装置や、弛み検出部材の回転動作を受けてケーブルドラムに当接するローラに摩擦力を加えて制動を行うケーブル繰り出し装置では、装置構造が複雑になり、部品点数が増え、コストが増大すると共に、装置重量が増大するため持ち運びに不便であるだけでなく、装置が大型化し、大きな設置面積が必要となるといった問題があった。
【課題を解決するための手段】
【０００７】
本考案は、ケーブルの弛みに応じてケーブルドラムに制動をかける、構造が簡潔で、取り付けが容易な制動手段を具えた、ケーブル繰り出し装置を提供するものである。
【０００８】
すなわち、本考案のケーブル繰り出し装置は、ケーブルが巻かれたケーブルドラムからケーブルを繰り出すための装置であって、互いに離間して立設される一組の脚部と、前記脚部に支持されて前記ケーブルドラムを着脱自在および回転自在に支持するケーブルドラム支持軸とを有するケーブルドラム支持部と、前記ケーブルドラムの外周縁近傍に位置するように前記ケーブルドラム支持部に設けられた支軸を支点として回動する制動手段と、を具え、前記制動手段が、前記支軸から前記ケーブルドラムを挟んで前記支軸と反対の側まで延在するレバー部分と、前記レバー部分の、前記ケーブルドラム支持軸より前記支軸側の位置に設けられて、前記ケーブルドラムの外周縁に当接してそのケーブルドラムに制動をかけるブレーキ部分と、前記レバー部分の、前記ケーブルドラムを挟んで前記支軸と反対の側に設けられて、前記ケーブルが繰り出しのために牽引されている場合に前記ケーブルドラムから繰り出されたケーブルと掛合して前記ブレーキ部分を前記ケーブルドラムから離すように前記レバー部分を回動させるケーブル掛合部分と、前記ケーブルが弛んでいる場合に前記ブレーキ部分を前記ケーブルドラムの外周縁に当接させるように前記レバー部分を付勢して回動させる付勢手段と、を有することを特徴とするものである。
【考案の効果】
【０００９】
本考案のケーブル繰り出し装置によれば、ケーブルドラム支持部を具えているので、ケーブルドラムをケーブルドラム支持部に支持してケーブルを繰り出すことが可能である。また、ケーブルドラム支持部に、ケーブルドラムの外周縁近傍に位置するように設けられた支軸を支点として回動する、ケーブル掛合部分を有する制動手段を具えているので、ケーブルが繰り出されていない場合、すなわちケーブルを牽引する力が働いていない場合には、付勢手段により、ブレーキ部分がケーブルドラムに当接し、ケーブルを牽引する力が働いている場合には、ケーブル掛合部分により、ブレーキ部分がケーブルドラムから離れることで、ケーブルドラムの傍らに人を配置することなくケーブルドラムの制動をケーブルの牽引に応じて制御することができる。更に、制動手段は、ケーブルドラムの外周縁近傍に位置するようにケーブルドラム支持部に設けられた支軸を支点として回動することによりブレーキ部分をケーブルドラムに当接させ、またはケーブルドラムから離すという簡潔な構造を有するので、ケーブルドラム支持部への取り付けが容易であり、部品点数が少なく、低コストで、軽量で持ち運びが容易なケーブル繰り出し装置を提供することができる。その上、ケーブルドラムを移動させる際に、ケーブルドラム支持部がケーブルドラムの上側に来るように上下逆にすれば、ケーブル繰り出し装置をケーブルドラムに着けたまま、レバー部分（ケーブル掛合部分）を持ってケーブルドラムを転がして移動させることができる。
【００１０】
ここで、例えば電柱への架線工事用等の、ケーブルが上方に引き出される装置の場合には、前記支軸をドラムの水平中心断面より下方に設け、前記ケーブル掛合部分をドラムの水平中心断面より上方に設けて、ケーブルを前記ケーブル掛合部分の下側を通して上方に繰り出すようにすると好ましい。これにより、繰り出し時には、ケーブルを上方に引っ張る牽引力が働くことから、ケーブルがケーブル掛合部分に掛合してレバー部分を引き上げるので、制動手段が支軸を中心に上側に回動して、ブレーキ部分がドラムから離れることで、制動手段による制動が解除される。また、ケーブルが弛んだ状態では、レバー部分が自重により付勢手段となって、制動手段が支軸を中心に下方に回動してブレーキ部分がドラムに当接することで、制動手段によってドラムの回転が制動される。この際に、レバー部分、特にケーブル掛合部分の重量を調整すれば、制動力の大きさを調整することができる。また、支軸とケーブル掛合部分とがドラムを挟んで反対側に配置されているため、制動時の制動手段の回動における力点と支点（支軸）との距離が大きいので、レバー部分を軽量な素材で作製しても大きな制動力を得ることができる。
【００１１】
一方、例えば下水管内への布設工事用等の、ケーブルが下方に繰り出される装置の場合には、前記支軸をドラムの水平中心断面より上方に設け、前記ケーブル掛合部分をドラムの水平中心断面より下方に設けると共に、制動手段を上方に付勢するように付勢手段を設けて、ケーブルを前記ケーブル掛合部分の上側を通して繰り出すように構成すると好ましい。これにより、繰り出し時には、ケーブルを下に引き下げる牽引力が働くことから、ケーブルがケーブル掛合部分と掛合してレバー部分を押し下げるので、制動手段が支軸を中心に下方に回動して、ブレーキ部分がドラムから離れることで、制動手段による制動が解除される。また、ケーブルが弛んだ状態では、付勢手段により制動手段が支軸を中心に上方に回動して、ブレーキ部分がドラムに当接することで、制動手段によってドラムが制動される。この際、ケーブルが弛んだ状態で、ブレーキ部分がドラムに当接した状態を維持できるよう、レバー部分を軽量な部材で構成すると共に、付勢手段として、制動手段とケーブルドラム支持部とを弾性的に連結するバネを設けてレバー部分を上方に付勢しても良い。また、前記ケーブル掛合部分および前記支軸の両方をドラムの水平中心断面より下方に設け、ブレーキ部分を、ドラムを挟んで支軸と反対側に設けるように構成しても、ケーブルが下方に繰り出される装置を構成することができる。
【００１２】
なお、前記支軸を前記ケーブルドラム支持軸近傍に配置し、前記ブレーキ部分と、前記ケーブル掛合部分とがドラムを挟んで反対側に位置するように配置すると共に、前記ブレーキ部分または前記ケーブル掛合部分の何れかの重量を他方より重くなるように構成することで、前記ブレーキ部分または前記ケーブル掛合部分の自重を付勢手段として、梃子の原理を利用して、ケーブルが弛んでいる場合にはブレーキ部分により制動され、ケーブルの繰り出しが行われている場合には制動が解除されるように構成しても良い。
【００１３】
また、前記ブレーキ部分に、前記ケーブルドラム外周縁との摩擦抵抗が大きいゴム等を貼り付けた板を用いれば、大きな摩擦抵抗でケーブルドラムの回転を制動でき、より確実にケーブルの余分な繰り出しを防止することができる。
【００１４】
更に、前記制動手段の前記支軸を、前記一組の脚部を連結するシャフトとすれば、部品点数を減らし、ケーブルドラム支持部の強度を高めつつ、制動手段の回動を可能にすることができる。
【考案を実施するための最良の形態】
【００１５】
以下、本考案の一実施形態を実施例によって、図面に基づき詳細に説明する。ここに、図１は、本考案にかかるケーブル繰り出し装置の一実施例を示す側面図であり、図２は、図１にかかるケーブル繰り出し装置の正面図である。また、図３は、図１にかかるケーブル繰り出し装置を利用してケーブルドラムを移動させる様子を示す参考図である。
【００１６】
この実施例の繰り出し装置１は、例えば電柱への架線工事等、ケーブル５を上向きに引き出す際に使用されるものであり、二本の連結シャフト２３で連結され、互いに離間して立設された一組の略三角形状の脚部２６と、ケーブルドラム４を着脱自在および回転自在に支持するケーブルドラム支持軸２４とを有するケーブルドラム支持部２、およびケーブルドラム４の外周縁近傍（図１では右下）に位置するようにケーブルドラム支持部２に設けられた一方の連結シャフト２３を支点（支軸）として回動する、略四角形状の制動手段３を具える。
【００１７】
ここで、各脚部２６は、例えば鉄パイプよりなり、図１に示すように、略三角形状のフレームで囲まれる内側部分に略Ｙ字状の補強構造を有する。また、略三角形状のフレームの各頂点部付近には、両方の脚部２６を連結シャフト２３およびケーブルドラム支持軸２４により互いに連結するための穴２１、２２が設けられている。また、穴２１、２２の近傍には、脚部２６に連結シャフト２３およびケーブルドラム支持軸２４を固定するために、例えばネジ２５が設けられている。
【００１８】
連結シャフト２３は、例えば鉄パイプよりなり、脚部２６の各穴２１に通した後にネジ穴（図示せず）を利用してネジ２５を連結シャフト２３に当接させることで両端部を脚部２６に固定されて、一組の脚部２６を連結することができる。
【００１９】
ケーブルドラム支持軸２４は、例えば鉄パイプよりなり、ケーブルドラム４と各脚部２６との間にそれぞれ配置される二つの回転軸受２７に挿通される。ここで、各回転軸受２７は、例えばケーブルドラム支持軸２４より太い鉄パイプよりなり、長手方向の中央付近にフランジ３０を有するとともに一端側にベアリング２８を内蔵している。回転軸受２７は、ベアリング２８が繰り出し装置１の内側（ケーブルドラム４内側）となるようにケーブルドラム４にフランジ３０を当接させて配置され、ケーブルドラム支持軸２４は、脚部２６の穴２２および回転軸受２７を介してケーブルドラム４に通され、脚部２６にネジ２５で固定される。これにより、回転軸受２７のベアリング２８でケーブルドラム４を回転自在に支持することができる。また、ケーブルドラム支持軸２４がネジ２５により固定されているので、ネジ２５を外し、ケーブルドラム支持軸２４を引き抜くことでケーブルドラム４の取り外しが可能である。
【００２０】
制動手段３は、例えばコ字状に形成した鉄パイプよりなるケーブル掛合部分３２およびレバー部分３６と、そのコ字状の鉄パイプの両端部に設けられたブレーキ部分３１と、そのコ字状のパイプの両端部を連結する、例えば鉄製の溝形材よりなる取り付け部分３３とを有する。ケーブル掛合部分３２と、取り付け部分３３とは、制動手段３の四角形状の対向する二辺をなし、他の二辺には、ブレーキ部分３１がそれぞれ固定されている。ブレーキ部分３１は、Ｌ字状にカット加工した鉄の板よりなり、支軸（支点）の側でケーブルドラム４の外周縁に当接する位置に設けられている。取り付け部分３３は、断面Ｕ字状で、脚部２６間を連結する連結シャフト２３に被せることにより、連結シャフト２３を支軸として回動可能にケーブルドラム支持部２に取り付けられる。
【００２１】
繰り出し装置１の組立ては、以下の手順で行われる。まず、一組の脚部２６を互いに離間して立設して、脚部２６間を二本の連結シャフト２３で固定する。そして、連結シャフト２３の一方に制動手段３を取り付ける。その後、内側にベアリング２８が位置するように各回転軸受２７をケーブルドラム４に取り付け、ケーブルドラム支持軸２４を回転軸受２７およびケーブルドラム４に通し、ケーブルドラム４をケーブルドラム支持部２に取り付ける。
【００２２】
これにより、ケーブルドラム４はケーブルドラム支持軸２４を介してケーブルドラム支持部２に回転可能に支持されることとなり、繰り出し装置１からのケーブル５の繰り出しが可能となる。また、制動手段３は、ケーブルドラム４の外周縁近傍（図１では右下）の連結シャフト２３を支軸として回動可能に取り付けられており、制動手段３には、レバー部分３２の自重により付勢されて下側に回動する力が働くので、外力が働かない状態ではブレーキ部分３１がケーブルドラム４の外周縁に当接することとなり、ケーブルドラム４の回転が制動されることとなる。一方、ケーブル５を制動手段３のケーブル掛合部分３２の下側を通して上方に引き出せば、図１の仮想線で示すように、牽引力により制動手段３が連結シャフト２３を軸として上方に回動することとなり、ブレーキ部分３１が移動してケーブルドラム４の外周縁より離れるので、ブレーキ部分３１による制動を受けることなく、ケーブル５の繰り出しが可能となる。よって、この実施例によれば、ケーブルドラム４の近傍に人員を配置することなく、ケーブル５の牽引力の有無によりケーブルドラム４の回転の制動およびその解除を行い得る、構造が簡潔かつ軽量で、取り付けが容易な制動手段を具えた、ケーブル繰り出し装置１を提供することができる。
【００２３】
更に、繰り出し装置１は、ケーブルドラム４を移動させる際にも利用することができ、図３に示すように、繰り出し装置１がケーブルドラム４の上側にくるように繰り出し装置１を上下逆に返した後に、ケーブル掛合部分３２を握って牽引することにより、少ない力で安全にケーブルドラム４を転がして移動させることができる。なお、移動時に制動手段３をケーブルドラム支持部２の一部とチェーン等（図示せず）で固定すれば、レバー部分３６が安定した状態で、より安全にケーブルドラム４を移動させることができる。
【００２４】
なお、本実施例において、制動手段３のケーブル掛合部分３２もしくはレバー部分３６自体の重量を変化させ、またはケーブル掛合部分３２もしくはレバー部分３６にその重量を変化させてそれを回動付勢する錘を付ければ、ブレーキ部分３１をケーブルドラム４に当接させる力を調整できるので、制動力の大きさを制御することができる。
【００２５】
また、制動手段３が回動する際の支軸は任意の位置に設けてもよく、例えばケーブルドラム支持軸２４の近傍に設けても良い。このように、支軸（支点）からケーブル掛合部分３２またはブレーキ部分３１までの距離を変化させることによっても、制動力を調整することができる。
【００２６】
図４は、本考案に係る繰り出し装置の他の実施例を示す側面図である。
【００２７】
この実施例にかかる繰り出し装置１は、ケーブル５を下向きに繰り出す際に使用されるものである点、脚部２６に、制動手段３を回動自在に支持するために支軸３７を配置する穴３５が設けられている点、制動手段３がコ字状であり、支軸３７の位置、および取り付け部分３３が異なる点、制動手段３のブレーキ部分３１の位置が異なり、制動手段３にバネ３４が設けられている点において先の実施例と異なり、他の点では先の実施例と同様である。
【００２８】
ここで、脚部２６には、先の実施例と同様の位置に設けられた、連結シャフト２３およびケーブルドラム支持軸２４を通すための穴２１、２２と、制動手段３を回動自在に支持するための穴３５とが設けられている。
【００２９】
制動手段３は、例えばベアリング（図示せず）を介し、ケーブルドラム支持部２の穴３５にコ字状の開放部の両端に固設された支軸３７によって回動可能に取り付けられている。また、制動手段３は、ケーブルドラム４を挟んで支軸３７の反対側にブレーキ部分３１およびケーブル掛合部分３２が設けられており、更に、コ字形状の上下の辺を構成する部分の中央付近で、脚部２６とバネ３４により連結されている。そして、バネ３４で制動手段３を上側に付勢することにより、ケーブル５が繰り出されていない状態において、レバー部分３６の自重により支軸３７を支点として制動手段３が回動して制動が解除されるのを防止し、ブレーキ部分３１をケーブルドラム４に当接させる。一方、ケーブル５の繰り出しを行う場合には、ケーブル５をケーブル掛合部分３２の上側を通して下方に繰り出すことにより、制動手段を上方に付勢しているバネ３４の力に逆らって制動手段３が下方に回動することとなり、制動が解除される。
【００３０】
これにより、地中へのケーブル設置工事等、下方へのケーブル５の繰り出しを行う際にケーブルドラム４の回動を自動で制御できる、構造が簡潔かつ軽量で、取り付けが容易な制動手段３を具えた、ケーブル繰り出し装置１を提供できる。
【００３１】
なお、本実施例においても、先の実施例と同様、制動手段３を利用してケーブルドラム４を転がして移動することができる。また、バネ３４のバネ係数や、レバー部分３２の自重を調整することにより、制動を解除するために必要なケーブル５の牽引力の大きさを調整することができる。
【００３２】
以上の実施例以外にも、ブレーキ部分３１を構成する部材表面にゴムシートを貼り付け、ブレーキ部分３１とケーブルドラム４の外周縁との摩擦を大きくしてケーブルドラム４の回転が停止するまでの時間が短くなるようにしても良い。また、制動手段３の取り付け部分３３は、制動手段３を回動可能に脚部２６に取り付けられるものであれば、蝶番のような機構を利用するものなど、形式は限定されない。更に、付勢手段は、構成部品の自重、バネ以外にも、ゴム等を用いることができる。
【００３３】
また、制動手段３の支点の位置およびブレーキ部分３１の位置は、梃子の原理を利用してブレーキ部分３１をケーブルドラム４の外周縁に当接させる構造であれば自由に設計することができる。
【産業上の利用可能性】
【００３４】
かくして、本考案のケーブル繰り出し装置によれば、ケーブルドラム支持部を具えているので、ケーブルドラムをケーブルドラム支持部に支持してケーブルを繰り出すことが可能である。また、ケーブルドラム支持部に、ケーブルドラムの外周縁近傍に位置するように設けられた支軸を支点として回動する、ケーブル掛合部分を有する制動手段を具えているので、ケーブルが繰り出されていない場合、すなわちケーブルを牽引する力が働いていない場合には、付勢手段により、ブレーキ部分がケーブルドラムに当接し、ケーブルを牽引する力が働いている場合には、ケーブル掛合部分により、ブレーキ部分がケーブルドラムから離れることで、ケーブルドラムの傍らに人を配置することなくケーブルドラムの制動をケーブルの牽引に応じて制御することができる。更に、制動手段は、ケーブルドラムの外周縁近傍に位置するようにケーブルドラム支持部に設けられた支軸を支点として回動することによりブレーキ部分をケーブルドラムに当接させ、またはケーブルドラムから離すという簡潔な構造を有するので、ケーブルドラム支持部への取り付けが容易であり、部品点数が少なく、低コストで、軽量で持ち運びが容易なケーブル繰り出し装置を提供することができる。その上、ケーブルドラムを移動させる際に、ケーブルドラム支持部がケーブルドラムの上側に来るように上下逆にすれば、ケーブル繰り出し装置をケーブルドラムに着けたまま、レバー部分（ケーブル掛合部分）を持ってケーブルドラムを転がして移動させることができる。
【図面の簡単な説明】
【００３５】
【図１】本考案にかかる繰り出し装置の一実施例を示す側面図である。
【図２】図１に示す繰り出し装置の正面図である。
【図３】図１に示す繰り出し装置を利用してケーブルドラムを移動する様子を示す参考図である。
【図４】本考案にかかる繰り出し装置の他の実施例を示す側面図である。
【符号の説明】
【００３６】
１  繰り出し装置
２  ケーブルドラム支持部
３  制動手段
４  ケーブルドラム
５  ケーブル
２１  穴
２２  穴
２３  連結シャフト
２４  ケーブルドラム支持軸
２５  固定手段
２６  脚部
２７  回転軸受
２８  ベアリング
３０  フランジ
３１  ブレーキ部分
３２  ケーブル掛合部分
３３  取り付け部分
３４  バネ
３５  穴
３６  レバー部分
３７  支軸
４０  作業者
【図１】
0003138356.tif 000003
【図２】
0003138356.tif 000004
【図３】
0003138356.tif 000005
【図４】
0003138356.tif 000006